【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局からダウンリンクスケジューリング許可を受信するステップであって、前記ダウンリンクスケジューリング許可が、前記基地局からの次のダウンリンク送信を指示する、ステップと、
第1の送信時間間隔(TTI)において、前記基地局から前記ダウンリンク送信を受信するステップであって、前記ダウンリンク送信が、送信モードに関連付けられ、少なくとも1つの送信レイヤ上で少なくとも1つのトランスポートブロックを備える、ステップと、
前記ダウンリンク送信によって搬送されたデータの肯定応答を送るための第2のTTIを識別するステップであって、前記第2のTTIが、第1のTTIと、前記少なくとも1つのトランスポートブロック、前記少なくとも1つの送信レイヤ、または前記送信モードに関連付けられた、1つまたは複数の送信パラメータとに少なくとも部分的に基づいて識別される、ステップと、
前記第2のTTIの間に、前記基地局に前記データの前記肯定応答を送るステップとを含む、
方法。
【請求項２】
前記第2のTTIを識別するステップが、
前記ダウンリンク送信の符号タイプ、前記ダウンリンク送信の再送レベル、前記少なくとも1つのトランスポートブロックのサイズ、前記少なくとも1つの送信レイヤにおける送信レイヤの数、前記送信モード、前記少なくとも1つのトランスポートブロックの変調およびコーディング方式(MCS)、符号レート、前記ダウンリンク送信の冗長バージョン、リソース割振りサイズ、変調フォーマット、帯域幅、または前記ダウンリンク送信に関連付けられたキャリアの数、またはそれらの組合せのうちの少なくとも1つに基づいて、前記第1のTTIと前記第2のTTIとの間の遅延を選択するステップを含む、
請求項1に記載の方法。
【請求項３】
前記選択された遅延が、前記少なくとも1つのトランスポートブロックの前記サイズに比例する、
請求項2に記載の方法。
【請求項４】
前記第2のTTIを識別するステップが、
テーブルに基づいて、前記第1のTTIと前記第2のTTIとの間の遅延を選択するステップであって、前記テーブルが、前記少なくとも1つのトランスポートブロック、前記少なくとも1つの送信レイヤ、または前記送信モードに関連付けられた、前記1つまたは複数の送信パラメータに対応する、異なる送信パラメータの組合せのための異なる遅延を識別する、ステップを含む、
請求項1に記載の方法。
【請求項５】
UEが、狭帯域モノのインターネット(NB-IoT)デバイス、またはマシンタイプ通信(MTC)デバイスを備える、
請求項1に記載の方法。
【請求項６】
前記第2のTTIを識別するステップが、
前記1つまたは複数の送信パラメータに基づいて、その間に前記基地局が前記肯定応答について監視中になる複数のTTIを識別するステップと、
ダウンリンク送信を処理するためのUE能力に基づいて、前記複数のTTIから前記第2のTTIを選択するステップとを含む、
請求項1に記載の方法。
【請求項７】
前記第2のTTIが、前記複数のTTIのサブセットを備え、
前記複数のTTIの前記サブセットが、少なくとも2つのTTIを含む、
請求項6に記載の方法。
【請求項８】
ワイヤレス通信のための装置であって、
基地局からダウンリンクスケジューリング許可を受信する手段であって、前記ダウンリンクスケジューリング許可が、前記基地局からの次のダウンリンク送信を指示する、手段と、
第1の送信時間間隔(TTI)において、前記基地局から前記ダウンリンク送信を受信する手段であって、前記ダウンリンク送信が、送信モードに関連付けられ、少なくとも1つの送信レイヤ上で少なくとも1つのトランスポートブロックを備える、手段と、
前記ダウンリンク送信によって搬送されたデータの肯定応答を送るための第2のTTIを識別する手段であって、前記第2のTTIが、第1のTTIと、前記少なくとも1つのトランスポートブロック、前記少なくとも1つの送信レイヤ、または前記送信モードに関連付けられた、1つまたは複数の送信パラメータとに少なくとも部分的に基づいて識別される、手段と、
前記第2のTTIの間に、前記基地局に前記データの前記肯定応答を送る手段とを備える、
装置。
【請求項９】
ワイヤレス通信のためのコードを記憶する非一時的コンピュータ可読媒体であって、前記コードが、
基地局からダウンリンクスケジューリング許可を受信することであって、前記ダウンリンクスケジューリング許可が、前記基地局からの次のダウンリンク送信を指示する、ことと、
第1の送信時間間隔(TTI)において、前記基地局から前記ダウンリンク送信を受信することであって、前記ダウンリンク送信が、送信モードに関連付けられ、少なくとも1つの送信レイヤ上で少なくとも1つのトランスポートブロックを備える、ことと、
前記ダウンリンク送信によって搬送されたデータの肯定応答を送るための第2のTTIを識別することであって、前記第2のTTIが、第1のTTIと、前記少なくとも1つのトランスポートブロック、前記少なくとも1つの送信レイヤ、または前記送信モードに関連付けられた、1つまたは複数の送信パラメータとに少なくとも部分的に基づいて識別される、ことと、
前記第2のTTIの間に、前記基地局に前記データの前記肯定応答を送ることとを行うように、プロセッサによって実行可能な命令を備える、
非一時的コンピュータ可読媒体。
【請求項１０】
ワイヤレス通信のための方法であって、
第1の送信時間間隔(TTI)において、基地局から、ユーザ機器(UE)において、スケジューリング許可を受信するステップであって、前記スケジューリング許可が、前記基地局と送信を通信するためのリソースを指示し、前記送信が、送信モードに関連付けられ、少なくとも1つの送信レイヤ上で少なくとも1つのトランスポートブロックを備える、ステップと、
前記送信のための第2のTTIを識別するステップであって、前記第2のTTIが、第1のTTIと、前記少なくとも1つのトランスポートブロック、前記少なくとも1つの送信レイヤ、または前記送信モードに関連付けられた、1つまたは複数の送信パラメータとに少なくとも部分的に基づいて識別される、ステップと、
前記第2のTTIの間に、前記送信を通信するステップとを含む、
方法。
【請求項１１】
前記方法が、
スケジューリング許可を処理するためのUEによる力を決定するステップと、
前記決定された力に少なくとも部分的に基づいて、前記スケジューリング許可と対応する送信との間の遅延を、前記基地局に指示するステップとをさらに含み、
前記第2のTTIの識別は、前記指示された遅延に少なくとも部分的に基づく、
請求項10に記載の方法。
【請求項１２】
前記スケジューリング許可が、物理ダウンリンク制御チャネル(PDCCH)送信であり、
前記送信が、物理ダウンリンク共有チャネル(PDSCH)送信である、
請求項11に記載の方法。
【請求項１３】
前記方法が、
前記送信の符号タイプ、前記送信の再送レベル、前記少なくとも1つのトランスポートブロックのサイズ、前記少なくとも1つのトランスポートブロックの変調およびコーディング方式(MCS)、前記少なくとも1つの送信レイヤにおける送信レイヤの数、前記送信モード、符号レート、前記送信の冗長バージョン、リソース割振りサイズ、変調フォーマット、帯域幅、前記送信に関連付けられたキャリアの数、物理ダウンリンク制御チャネル(PDCCH)探索空間サイズ、PDCCH候補の数、またはそれらの組合せのうちの少なくとも1つに少なくとも部分的に基づいて、前記受信されたスケジューリング許可と前記送信との間の遅延を選択するステップをさらに含み、
前記第2のTTIの識別は、前記選択された遅延に少なくとも部分的に基づく、
請求項10に記載の方法。
【請求項１４】
前記スケジューリング許可が、物理ダウンリンク制御チャネル(PDCCH)送信であり、
前記送信が、物理アップリンク共有チャネル(PUSCH)送信である、
請求項13に記載の方法。
【請求項１５】
ワイヤレス通信のための装置であって、
第1の送信時間間隔(TTI)において、基地局から、ユーザ機器(UE)において、スケジューリング許可を受信する手段であって、前記スケジューリング許可が、前記基地局と送信を通信するためのリソースを指示し、前記送信が、送信モードに関連付けられ、少なくとも1つの送信レイヤ上で少なくとも1つのトランスポートブロックを備える、手段と、
前記送信のための第2のTTIを識別する手段であって、前記第2のTTIが、第1のTTIと、前記少なくとも1つのトランスポートブロック、前記少なくとも1つの送信レイヤ、または前記送信モードに関連付けられた、1つまたは複数の送信パラメータとに少なくとも部分的に基づいて識別される、手段と、
前記第2のTTIの間に、前記送信を通信する手段とを備える、
装置。